(57)【要約】      （修正有）【課題】適切な傾斜角度に支持可能な携帯電話スタンドの構造を提供する。【解決手段】支台１とサポート部品２で構成する携帯電話スタンドであって、支台１は携帯電話３の後蓋或いは携帯電話３の後蓋表面に貼って固定できるものとする。支台１にサポート部品２を収容する凹部１１を設け、凹部１１に一つの固定穴１１１及び固定穴１１１の周囲に複数個の定位溝孔１１２を設け、サポート部品２に設けた柱本体２１及び突起点にそれぞれ嵌合可能とし、サポート部品２の柱本体２１を支台１の固定穴１１１に嵌合して支台１に沿って回転可能とし、使用時は支台１の凹部１１から引出したサポート部品２の突起点を支台１の定位溝孔１１２に嵌合固定することにより、携帯電話３を適切な傾斜角度に支持する。【選択図】図１
0003200172.tif 000002
【実用新案登録請求の範囲】
【請求項１】
携帯電話の支台とサポート部品からなり、
該支台に該サポート部品を収容する凹部を設け、該凹部に一つの固定穴及び該固定穴の周囲に複数個の定位溝孔を設け、
該サポート部品の上縁に上記支台の固定孔に嵌合する柱本体及び定位溝孔に嵌合する突起点を設けて、該柱本体を支台の固定穴に嵌合することより、該サポート部品を支台に沿って回転可能として、使用しない時は該サポート部品を支台の凹部内に収容して該突起点を定位溝孔に嵌合しで定位し、
使用する際には、該凹部から該サポート部品を引き出して所定角度回転し、且つ所定角度の位置の定位溝孔に突起点を嵌合して定位することにより、携帯電話を適切な傾斜角度に支持可能とした、ことを特徴とする携帯電話スタンドの構造。
【請求項２】
前記支台は携帯電話の後蓋であることを特徴とする請求項１記載の携帯電話スタンドの構造。
【請求項３】
前記支台は携帯電話の後蓋の座体に貼って固定可能であることを特徴とする請求項１記載の携帯電話スタンドの構造。
【請求項４】
前記サポート部品の底縁に一つの切欠口を設け、指でサポート部品を支台の凹部から引っ張り出すのに便利としたことを特徴とする請求項１記載の携帯電話スタンドの構造。
【請求項５】
前記サポート部品に一つの横向きリブを設けて、サポート部品を支台の凹部内に収容した時、該リブが凹部に接して、サポート部品の底縁の切欠口に指を入れて押圧することにより該リブによりサポート部品に働く適切な弾性によりサポート部品が外向きに弾かれて取り出しに便としたことを特徴とする請求項１記載の携帯電話スタンドの構造。
【考案の詳細な説明】
【技術分野】
【０００１】
本考案は、携帯電話スタンドの構造に関し、特に携帯電話を適切な傾斜角度で支え、携帯電話モニターで放映する映像を見やすく、且つ操作しやすくする携帯電話スタンドの構造に関する。
【背景技術】
【０００２】
テクノロジーの進歩により、携帯電話の使用率は大変普及している。現段階の携帯電話は従来の通信機能のほかに、ワイヤレスネットワークのトランスミッションにより、携帯電話のモニターで映画やビデオを鑑賞し、或いはビデオ通信をすることができる。
しかし、携帯電話で映画やビデオ鑑賞或いはビデオ通信をする際、時間が長いため、ずっと携帯電話を手で持っていると、疲れるだけでなく、両手が空かず、ほかの食べ物或いは物を取ることができない。市販されている携帯電話スタンドがあり、テーブルに固定することができ、手で持つ面倒さがなくなる。しかし、現在の携帯電話スタンドの多くはオプション品であり、持ち運びしにくいだけでなく、収納しにくいなどを鑑みて、携帯電話スタンドの構造を案出した。
【先行技術文献】
【特許文献】
【０００３】
【特許文献１】特開２０１４−２０４３６７号公報
【特許文献２】登録実用新案３１７６２０７号公報
【考案の概要】
【考案が解決しようとする課題】
【０００４】
前記公知構造の欠点を解決するため、本考案は携帯電話を適切な傾斜角度で支え、携帯電話のモニターで放映する映像を見やすくし、操作が簡単である携帯電話スタンドの構造を提供することを主な課題とする。
【課題を解決するための手段】
【０００５】
前記課題を解決するために、本考案は携帯電話スタンドの構造を提供するものである。本考案は支台及び該支台と接続するサポート部品から構成する。該支台は携帯電話の後蓋或いは携帯電話の後蓋の座体に貼って固定できるものとする。該支台にサポート部品を収容する凹部を設け、該凹部に一つの固定穴及び該固定穴の周囲に複数個の定位溝孔を設ける。該サポート部品に柱本体及び突起点を設けて、該サポート部品は柱本体を介して支台の固定穴に嵌合することで、支台に沿って回転可能とする。使用しない時は支台の凹部に収容し、使用する際には凹部から引き出して所定角度回転し、更に突起点と定位溝孔で定位して、携帯電話を適切な傾斜角度に支え、携帯電話モニターから放映する映像を観賞するのに便利である。
【０００６】
前記の携帯電話スタンドの構造について、該サポート部品の底部内縁に一つの溝を設けることで、指でサポート部品を支台の凹部から引っ張り出しやすくする。
【考案の効果】
【０００７】
本考案は凹部を設ける支台及び、該支台に沿って回転するサポート部品によって携帯電話スタンドの構造を構成する。携帯電話を適切な斜面に支え、携帯電話モニターから放映する映像を観賞するのに便利であり、操作が簡単である。
【図面の簡単な説明】
【０００８】
【図１】本考案の立体分解図である。
【図２】本考案の立体分解図である。
【図３】本考案の断面図である。
【図４】本考案の使用状態図である。
【図５】本考案の動作状態図である。
【図６】本考案の第二実施例の立体分解図である。
【考案を実施するための形態】
【０００９】
以下、本考案の構造と特徴および効果を、最良実施例と図面を参照しながら詳細に説明する。
【実施例１】
【００１０】
図１及び図２に示すのは本考案の立体分解図である。図に示すように、本考案は支台１及び該支台１と接続するサポート部品２を含む。該支台１は携帯電話３の後蓋であって、それに一つの凹部１１を設け、該凹部１１に一つの固定穴１１１及び該固定穴１１１の周囲に複数個の定位溝孔１１２を設ける。該サポート部品２の上縁に一つの柱本体２１及び一つの突起点２２を設け、後縁の適切な位置に一つの横方向のリブ２３を設ける。該前縁に一つの横方向溝２４を設け、且つ該底の内縁に一つの溝２５を設ける。本実施例において、該サポート部品２は高い山の形状を呈する。
【００１１】
前記の構造部品の組合せを介し、該サポート部品２は柱本体21を支台１の固定穴１１１に嵌合することにより、支台１に沿って回転することができる。使用しない時は、該サポート部品２を支台１の凹部１１内に置き、突起点２２と定位溝孔１１２で定位を構成する。使用する際には、該凹部１１から引っ張り出して一つの角度を回転し、且つ突起点２２と異なる位置の定位溝孔１１２で定位を構成し、携帯電話３を適切な傾斜角度で支えることで、携帯電話３のモニターで放映する映像を見るのに便利となる。
【００１２】
図３は本考案の断面図である。図１及び図２も合わせて参照する。図に示すように、本考案の支台１に設けた凹部１１の底縁は、外から内側に向けた傾斜部１１３であり、前記サポート部品２の底縁にはこれに対応する傾斜部２６を設ける。該サポート部品２を凹部１１に嵌合する時、二つの傾斜部１１３、２６が互いに掛合することにより、サポート部品２が凹部１１内に定位して弾かれない。該横向きのリブ２３は凹部１１に接する。使用する際には、サポート部品２の底部内縁にある溝２５に指を入れることで、サポート部品２はリブ２３により適切な弾性が発生して外側に弾かれ、回転しやすくなる。
【００１３】
図４及び図５に示すのは、本考案の使用状態図及び動作状態図である。図１及び図２も合わせて参照する。本考案を使用する際、サポート部品２の底部にある溝２５に指を入れることで、サポート部品２はリブ２３により適切な弾性が発生して外側に弾かれる。更にサポート部品２を一定の角度に回転し、突起点２２と異なる位置の定位溝孔１１２により、定位を構成し(使用しない時と使用する時の突起点２２を異なる位置の定位溝孔１１２に嵌合する)、携帯電話３を適切な傾斜角度に支えるため、携帯電話のモニターから放映する映像を観賞するのが便利となる。
【実施例２】
【００１４】
図６に示すのは、本考案の第二実施例の立体分解図である。図に示すように、本考案の第二実施例に含まれるのは一つの支台１及び該支台１と接続するサポート部品２である。該支台１は一つのベースであり、それに一つの凹部１１を設け、該凹部１１に一つの固定穴１１１及び該固定穴１１１の周囲に複数個の定位溝孔１１２を設ける。支台１の底面に両面粘着剤１２を設ける。該サポート部品２は上縁に一つの柱本体２１及び一つの突起点２２を設ける。該適切な位置に一つの横向きのリブ２３を設け、且つ底縁に一つの切欠口２４を設ける。
該サポート部品２は柱本体２１を介して支台１の固定穴１１１に嵌合することよって、支台１に沿って回転する。且つ両面粘着剤１２によって携帯電話３の後蓋に貼って固定する。使用する時は、サポート部品２を凹部１１から引っ張り出して所定角度回転し、突起点２２と異なる位置の定位溝孔１１２で定位を構成する。携帯電話を適切な傾斜角度で支えることで、携帯電話３モニターから放映する映像を観賞するのに便利である。
【００１５】
本考案の構想に基づく各種の変化や修正、応用及び形を変更するなど、同じ効果が生まれる場合は、全て本考案の権利範囲とする。
【００１６】
上記をまとめると、本考案は凹部を設ける支台及び、該支台に沿って回転するサポート部品によって携帯電話スタンドの構造を構成する。携帯電話を適切な斜面に支え、携帯電話３モニターから放映する映像を観賞するのに便利であり、操作が簡単である。
【符号の説明】
【００１７】
１  支台
１１  凹部
１１１  固定穴
１１２  定位溝孔
１１３  傾斜部    
１２  両面粘着剤    
２  サポート部品
２１  柱本体
２２  突起点
２３  リブ
２４  横方向溝
２５  溝  
２６  傾斜部
３  携帯電話
【図１】
0003200172.tif 000003
【図２】
0003200172.tif 000004
【図３】
0003200172.tif 000005
【図４】
0003200172.tif 000006
【図５】
0003200172.tif 000007
【図６】
0003200172.tif 000008
【手続補正書】
【提出日】平成27年7月28日(2015.7.28)
【手続補正１】
【補正対象書類名】実用新案登録請求の範囲
【補正対象項目名】請求項５
【補正方法】変更
【補正の内容】
【請求項５】
前記サポート部品に一つの横向きリブを設けて、サポート部品を支台の凹部内に収容した時、該リブが凹部に接して、サポート部品の底縁の切欠口に指を入れて押圧することにより該リブによりサポート部品に働く適切な弾性によりサポート部品が外向きに弾かれて取り出しに便利としたことを特徴とする請求項１記載の携帯電話スタンドの構造。